(57)【要約】【課題】本発明は、ニットセータ等の伸縮しやすい生地の衣服であっても、故意的に引っ張っても衣服が伸びることがなく、型崩れを生じない衣服を提供することを目的とした。【解決手段】ニット製のセータのように伸縮性の高い生地を用いた衣服１であって、その衣服１の胴横部１３及び／又は袖の下ライン１４に、引っ張っても伸びない丈夫な部材である伸び防止材７を設け、人為的な引っ張り力であっても胴横部１３や袖の下ライン１４が伸び難い構成とする。【選択図】図１
2010024571.tif 000002
【特許請求の範囲】
【請求項１】
上半身に着用する衣服であって、伸縮性を有する布帛で作られた衣服において、胴体部の上下方向又は袖の長手方向の少なくともいずれかに伸び防止材が設けられたことを特徴とする衣服。
【請求項２】
伸び防止材が胴体部の体側部、又は袖の下ラインに設けられていることを特徴とする請求項１に記載の衣服。
【請求項３】
前記伸び防止材は、前記胴体部においては脇部から裾まで、前記袖の長手方向においては脇部から袖口までに設けられ、直線状に略連続していることを特徴とする請求項１又は２に記載の衣服。
【請求項４】
伸び防止材はテープであることを特徴とする請求項１乃至３のいずれかに記載の衣服。
【発明の詳細な説明】
【技術分野】
【０００１】
本発明は、衣服に関するもので、特に袖や裾などが伸びにくい衣服に関するものである。
【背景技術】
【０００２】
衣服には、多くの種類があり、ジャケット，スーツ，カッターシャツ，学生服，セータ，パジャマなど、用途に応じて使い分けられる。
そのような衣服は、従来から、洗濯あるいは湿度や気温等の置かれる環境が原因で袖や裾などが縮む問題があった。
【０００３】
この問題に鑑み、特許文献１には、ニット製のウェアの襟周り，袖周り，胸ポケット口周りを塩化ビニル性の芯材で補強し、縮みを防止する発明が開示されている。
【特許文献１】実用新案登録第３０５７５７９号公報
【発明の開示】
【発明が解決しようとする課題】
【０００４】
ところで中学校や高等学校では、制服を制定している学校が多い。そして冬季においては、制服だけでは寒いので、制服の下にセータを着込むこととなる。ここで制服を制定している学校の多くでは、制服の下に着込むセータについても制服に準じる衣服として形状やデザインを定めている。
中に着込むセータは、本来は、図６（ａ）に示すように、制服たる上着の下に隠れるものである。
【０００５】
ところが、中学生や高校生は、お洒落をしたい年頃であり、制服やセータを故意に改造して着用する生徒が多い。
特に近年ではセータの袖や裾などを人為的に伸ばして着用することが、生徒の間で流行している。すなわち本来は、体に合ったサイズのセータであって、図６（ａ）に示すように、制服たる上着の下に隠れるものを着用するが、セータの袖や裾を無理矢理引っ張って、局所的に大きなサイズにして着用する。
【０００６】
その結果、図６（ｂ）に示すようにブレザー等の上着の袖や裾からセータが必要以上に露出する。衣服を着用する中学生や高校生は、この姿が格好よく美しいと認識しているが、中高年たる父兄や教員にはとうてい理解できないファッションである。すなわち、まことにだらしない外見であり、学校の品位を損なうこととなる。
【０００７】
このような傾向に、父兄や学校は不満を抱えている。つまり、父兄側としては、折角新しく買ってあげたのに故意に衣服を伸ばされることで物を粗末にされている、あるいは格好がだらしない等の不満、学校側としては、生徒のだらしない格好が風紀を乱す等の不満を抱えている。
【０００８】
そこで本発明は、上記の問題点を鑑みて、ニットセータ等の伸縮しやすい生地の衣服であっても、衣服を故意的に引っ張っても伸びず、型崩れを生じない衣服を提供することを課題とする。
【課題を解決するための手段】
【０００９】
上記課題を解決するための請求項１に記載の発明は、上半身に着用する衣服であって、伸縮性を有する布帛で作られた衣服において、胴体部の上下方向又は袖の長手方向の少なくともいずれかに伸び防止材が設けられたことを特徴とする衣服である。
【００１０】
請求項１の衣服は、胴体部の上下方向や、袖の長手方向に伸び防止材を設けているため、生徒が衣服を変形しようと故意に袖や裾を引っ張っても衣服は伸びない。そのため請求項１の衣服は、型崩れを起こしにくい。特に伸縮しやすい裾や袖の伸びを防止でき、衣服を長持ちさせる。
また他の部位については、通常の衣服と同様に伸縮するので、着心地を損なうこともない。
【００１１】
また生徒は、袖や裾を均等に伸ばそうとする傾向にあるから、例えば胴体部分であれば体側部を伸ばそうとする。袖であれば下ラインを伸ばそうとする。そのため伸び防止材は、胴体部の体側部、又は袖の下ラインに設けられていることが望ましい（請求項２）。
また体側部や袖の下ラインは、着用したときに目立ちにくい部位であるから、伸び防止材を配しても外観上の違和感が生じにくい。
【００１２】
また請求項３に記載の発明は、前記伸び防止材は、前記胴体部においては脇部から裾まで、前記袖の長手方向においては脇部から袖口までに設けられ、直線状に略連続していることを特徴とする請求項１又は２に記載の衣服である。
【００１３】
請求項３に記載の衣服は、伸び防止材を設ける位置を、胴体部であれば脇部から裾まで、袖の長手方向は脇部から袖までに限定することで、伸びが生じやすい部分だけを補強して衣服の型崩れを防止できる。一般的に衣服における前身頃と後身頃は、脇部から裾あるいは袖まで直線状に縫着されている。そのため本発明によると、伸び防止材だけを縫着するという余分な手間が掛からず、伸び防止材を設けたことが見た目にもわかりにくいため、着用したときの格好を損ねることがない。さらに、伸び防止材を縫着することによるコストアップを防ぐことができる。
【００１４】
伸び防止材はテープであることが推奨される（請求項４）。
【発明の効果】
【００１５】
本発明の衣服は、伸び防止材を衣服の胴体部及び／又は袖の長手方向に設けているため、伸縮しやすい袖や裾に引張力を掛けても殆ど伸びず、型崩れしにくい。そのため着用者が故意に変形しようとしてもこれに抗することができる効果がある。
【発明を実施するための最良の形態】
【００１６】
次に本発明の具体的実施形態について説明する。
本実施形態の衣服１は、横編みのニット製のセータであり、図１〜４は、その衣服１の正面図を示している。図５は、本発明の特徴である伸び防止材を編み込む際の分解斜視図である。
【００１７】
衣服１は、公知のセータと同様に前身頃２と後身頃３及びアーム部材２０が一体となり構成されており、胴体部４と左右のアーム部５，６を持つ構成である。パーツとしてのアーム部材２０は、裁断された一枚の布であり、公知のそれと同様に筒状に丸めて端辺同士が縫合されている。この縫合部は、袖の下ラインに位置する。すなわち衣服を着用して腕を横方向水平に伸ばした時、下に向く位置に継ぎ目がある。詳しくは、アーム部５，６における脇部１５から袖口１１までの袖の下ライン（袖の長手方向）１４である。
また前身頃２と後身頃３の間にも継ぎ目がある。この継ぎ目の詳細な位置は、胴体部４における脇部１５から裾１２までの胴横部（体側部）１３である。
【００１８】
胴体部４は、裾１２側の大開口２１と襟部１６の小開口２２を有する。本実施形態のセータは、図１に示すように、正面視した小開口２２の形状が略三角形である。本実施形態では、小開口２２が略三角形である構成を示したが、本発明はこれに限定されるわけではない。円弧状やその他の矩形状であっても構わない。
【００１９】
アーム部５，６は、胴体部４の襟部１６及び脇部１５から左右に細長く延びた長袖タイプであり、袖口１１に繋がっている。袖１１の開口は前記した襟部１６よりも小さく形成されている。なお、本発明の衣服１は、半袖や袖が無いタンクトップであっても構わない。
【００２０】
ここで本実施形態の衣服１には、伸び防止材７が設けられており、衣服１の伸びを防止する構成である。
本実施形態では、この伸び防止材７にポリエステル系のテープを採用している。ポリエステル系は、吸湿性が低く、薬品にも強い。さらに耐熱性が高いことから洗濯による伸縮から衣服１を守ることができる。
また、ポリエステル系は、繊維の中でも特に丈夫であることから、突発的な人為的な力からも衣服１が伸びることを防止できる。
【００２１】
本実施形態の衣服１では、上記した前身頃２と後身頃３の継ぎ目に伸び防止材７を設けている。つまり、図３，４に太線で示すように、胴体部４の体側面部１３及びアーム部５，６の袖の下ライン１４に伸び防止材７が縫い込まれている。
詳しくは、図３，４に太線で示すように衣服１を平たく広げた状態で、胴体部４の輪郭線と、アーム部５，６の下辺に沿うように連続的に設けられている。
【００２２】
このように伸び防止材７を配置とすることで、伸びやすい胴体部４の裾１２及びアーム部５，６の袖口１１の伸びを防止することができる。
このことにより、故意的な引っ張り力により、裾１２や袖口１１が引っ張られた場合でも、伸び防止材７がその引っ張り力に対抗し、衣服１が伸びてしまうことを防止することができる。また、洗濯における衣服１の縮みも伸び防止材７により守られる。
【００２３】
さらに、前身頃２と後身頃３との継ぎ目に伸び防止材７を設ける構成であるため、作業効率を下げることがない。つまり、大幅なコストアップに繋がることはない。
【００２４】
次に図面を参照にして、本実施形態の衣服１における伸び防止材７の取り付け方について説明する。
【００２５】
まず図５に示すように、前身頃２と後身頃３とを生地の表側が合わさるように配置する。そして、伸び防止材７をそれらに挟まるように配置する。そのとき、生地の端部側、つまり図１，２における胴横部１３及び袖の下ライン１４であって、上述した輪郭線近くにテープ状の伸び防止材７を配置させる。その状態を維持し、針と糸を用いて生地と伸び防止材７を縫着させる。詳しくは、縫着させる糸を前記端部に沿って螺旋状に縫い（かがり縫い）、そのとき伸び防止材７にも糸が貫通するようにすると強固に縫着される。
またテープ状の伸び防止材７の挟み込みと、縫合とを同時に行ってもよい。
【００２６】
このように、本実施形態の衣服１は、ニット製のセータにおける前身頃２と後身頃３との体側部の継ぎ目であって、胴体部４の脇部１５から裾１２までと、アーム部５，６の脇部１５から袖口１１までにテープ状の伸び防止材７を設ける構成である。
つまり、衣服１の継ぎ目に伸び防止材７を配置させるため、見た目にも認識しにくく、その衣服１を着用したときも型崩れすることがない。また、伸び防止材７だけを設ける余分な手間が省けることにも繋がり、大幅なコストアップにならない。
これにより、ニットセータ等の伸縮性の高い衣服１の袖１１や裾１２を、人為的に伸ばすことができなくなる。
【００２７】
上記実施形態の衣服１では、胴横部１３及び袖の下ライン１４に伸び防止材７を設ける構成を示したが、本発明はこのような構成に限定されるわけではない。
例えば、胴横部１３あるいは袖の下ライン１４のどちらかにのみ伸び防止材７を設ける構成であっても構わない。しかし、本実施形態のように袖のある衣服１の場合では、伸び防止材７を設けていない側は、従来の衣服と同じく伸びやすいため、上述した本実施形態のように胴横部１３及び袖の下ライン１４の両方に設ける構成の方が好ましい。
【００２８】
上記実施形態の衣服１では、前身頃２及び後身頃３の継ぎ目に伸び防止材７を設ける構成を示したが、本発明はこのような構成に限定されるわけではない。
例えば、前身頃２と後身頃３の継ぎ目以外の箇所に設ける構成であっても構わない。その場合でも、胴体部４の側面部分や、アーム部５，６の下ライン相当部に伸び防止材７を設けることが望ましい。
【００２９】
上記実施形態の衣服１では、ニットセータで構成された衣服１を示したが、本発明はニットセータに限られるわけではない。他の伸縮しやすい生地を用いた衣服であれば何でも構わない。
【００３０】
本実施形態での衣服１では、横編みのセータを示したが、本発明は、この横編みに限定されるわけではなく、縦編みのニットであっても構わない。
【００３１】
本実施形態での衣服１では、伸び防止材７にポリエステル系の部材を示したが、本発明はこれに限られるわけではなく、ワイヤーなど繊維以外の伸びに強い部材であっても構わない。
【図面の簡単な説明】
【００３２】
【図１】本発明の実施形態の衣服の正面図である。
【図２】図１の衣服の背面図である。
【図３】伸び防止材の位置を示す本発明の実施形態の衣服の正面図である。
【図４】伸び防止材の位置を示す本発明の実施形態の衣服の背面図である。
【図５】伸び防止材の挿入部分を示す分解斜視図である。
【図６】（ａ）は通常のセータの着用状況を示す説明図であり、（ｂ）は故意的に伸ばしたセータの着用状況を示す説明図である。
【符号の説明】
【００３３】
１    衣服
４    胴体部
５，６  アーム部
７    伸び防止材
１１    袖口
１２    裾
１３    胴横部（体側部）
１４    袖の下ライン（袖の長手方向）
１５    脇部
【図１】
2010024571.tif 000003
【図２】
2010024571.tif 000004
【図３】
2010024571.tif 000005
【図４】
2010024571.tif 000006
【図５】
2010024571.tif 000007
【図６】
2010024571.tif 000008